(57)【要約】【課題】本発明は、利用者が操作表示パネルの角度調整の操作を容易に行うことができる画像形成装置を提供することを目的とするものである。【解決手段】操作表示パネル５は、支持部１５及び１６の間に設置されて回動可能に軸支されている。装置本体側には、角度調整板１８が回転軸１９によって回動可能に取り付けられており、角度調整板１８の他端部が操作表示パネル５の底面に当接して支持している。回転軸１９は駆動モータ２１の駆動により回転するようになっており、操作表示パネル５に設けられた操作ダイヤル２２を回転操作すると、その回転量に応じて駆動モータ２１が回転し、操作表示パネル５の傾斜角度が調整されるようになる。【選択図】図４
2007163813.tif 000002
【特許請求の範囲】
【請求項１】
装置本体に上下方向に回動可能に設けられた操作表示パネルと、前記操作表示パネルを回動させて角度を変更する回動手段と、前記操作表示パネルに設けられるとともに前記回動手段を操作するための操作手段と、前記操作表示パネルに設けられるとともに当該操作表示パネルの角度を表示する表示手段とを備えていることを特徴とする画像形成装置。
【請求項２】
前記回動手段は、装置本体側に上下方向に回動可能に軸支されるとともに前記操作表示パネルの底面に当接するように設けられた角度調整板と、前記角度調整板を回動させる駆動モータとを備えていることを特徴とする請求項１に記載の画像形成装置。
【請求項３】
前記操作手段は、円盤状の操作ダイヤルを備えており、前記操作ダイヤルの操作量に応じて前記回動手段を駆動制御する制御手段を備えていることを特徴する請求項２に記載の画像形成装置。
【請求項４】
前記回動手段は、装置本体側に上下方向に回動可能に軸支されるとともに前記操作表示パネルの底面に当接するように設けられた角度調整板と、前記角度調整板の回転軸に巻き付けられたワイヤと、前記操作表示パネル内に設けられるとともに前記ワイヤを巻き取る巻取り手段とを備えていることを特徴とする請求項１に記載の画像形成装置。
【請求項５】
前記操作手段は、円盤状の操作ダイヤルを備えており、前記操作ダイヤルに前記巻取り手段が連結されて前記操作ダイヤルの操作により前記巻取り手段が巻取り動作を行うことを特徴とする請求項４に記載の画像形成装置。
【発明の詳細な説明】
【技術分野】
【０００１】
本発明は、複写機、ファクシミリ装置、プリンタ等の画像形成装置に関する。
【背景技術】
【０００２】
上述の画像形成装置では、装置を動作させるために操作キー及び表示部を備えた操作表示パネルが取り付けられている。近年画像形成装置は利便性を向上させるために、ユーザーインターファースが強化されてきており、操作のための様々な情報が液晶パネル等の表示部に表示されるようになっている。そして、利用者は、表示部に表示されたメッセージを確認しながら必要な操作を行うことができ、いちいち説明書を読まなくても主な操作を行うことができる。
【０００３】
また、表示画面を見やすくするために、表示部をユニット化して角度調整ができるような工夫もなされている。例えば、特許文献１では、操作表示パネルをフリーストップヒンジにより固定部材に連結し、さらに操作表示パネルと固定部材との間をステーにより連結した点が記載されている。
【特許文献１】特開２００３−１４０５６０号公報
【発明の開示】
【発明が解決しようとする課題】
【０００４】
上述した先行文献では、表示部の設置角度を調整することができるようになることから、利用者が自分の見やすい角度に表示部を設定することが可能となる。しかしながら、画像形成装置の操作表示パネルの場合、複数の利用者が操作することがほとんどであり、そのため利用者がそれぞれ自分に合った角度に調整することが考えられる。したがって、利用者が角度調整の操作しやすいユーザーフレンドリな設計が求められるが、特許文献１では、こうした要請に十分対応したものとはいえない。
【０００５】
そこで、本発明は、利用者が操作表示パネルの角度調整の操作を容易に行うことができる画像形成装置を提供することを目的とするものである。
【課題を解決するための手段】
【０００６】
本発明に係る画像形成装置は、装置本体に上下方向に回動可能に設けられた操作表示パネルと、前記操作表示パネルを回動させて角度を変更する回動手段と、前記操作表示パネルに設けられるとともに前記回動手段を操作するための操作手段と、前記操作表示パネルに設けられるとともに当該操作表示パネルの角度を表示する表示手段とを備えていることを特徴とする。さらに、前記回動手段は、装置本体側に上下方向に回動可能に軸支されるとともに前記操作表示パネルの底面に当接するように設けられた角度調整板と、前記角度調整板を回動させる駆動モータとを備えていることを特徴とする。さらに、前記操作手段は、円盤状の操作ダイヤルを備えており、前記操作ダイヤルの操作量に応じて前記回動手段を駆動制御する制御手段を備えていることを特徴する。さらに、前記回動手段は、装置本体側に上下方向に回動可能に軸支されるとともに前記操作表示パネルの底面に当接するように設けられた角度調整板と、前記角度調整板の回転軸に巻き付けられたワイヤと、前記操作表示パネル内に設けられるとともに前記ワイヤを巻き取る巻取り手段とを備えていることを特徴とする。さらに、前記操作手段は、円盤状の操作ダイヤルを備えており、前記操作ダイヤルに前記巻取り手段が連結されて前記操作ダイヤルの操作により前記巻取り手段が巻取り動作を行うことを特徴とする。
【発明の効果】
【０００７】
上記のような構成を有することで、回動手段を操作するための操作手段及び操作表示パネルの角度を表示する表示手段を共に操作表示パネルに設けているので、利用者は操作表示パネルに表示された角度を見ながら自分に合った角度に簡単に調整することができる。また、操作手段も操作表示パネルに設けることで、利用者が操作表示パネルを自分で持ち上げて調整するといったことが不要となり、操作手段を操作して自分に合った角度にきめ細かく角度調整することが可能となる。
【０００８】
また、回動手段として、装置本体側に上下方向に回動可能に軸支されるとともに操作表示パネルの底面に当接するように設けられた角度調整板と、角度調整板を回動させる駆動モータとを備えることで、簡単な構成で操作表示パネルの角度調整が行えると共に駆動モータの駆動力で操作表示パネルが回動するので、利用者が直接操作表示パネルを回動させる必要がなくなる。そして、操作表示パネルの底面を角度調整板で支持しているので、操作表示パネルに荷重が加わっても安定して保持されるようになる。
【０００９】
そして、操作手段として円盤状の操作ダイヤルを用いることで、操作が容易になるとともにきめ細かい角度調整を行うことができる。
【００１０】
また、回動手段として、装置本体側に上下方向に回動可能に軸支されるとともに操作表示パネルの底面に当接するように設けられた角度調整板と、角度調整板の回転軸に巻き付けられたワイヤと、操作表示パネル内に設けられるとともにワイヤを巻き取る巻取り手段とを備えることで、操作表示パネルの角度調整を手動によりきめ細かく行うことができるようになる。すなわち、ワイヤの巻取り動作により無段階で角度調整を行うことが可能となる。そして、操作手段として円盤状の操作ダイヤルを用い、操作ダイヤルに巻取り手段が連結されて操作ダイヤルの操作により巻取り手段が巻取り動作を行うようにすれば、操作による操作ダイヤルの回転力を利用してワイヤの巻取り動作を行うことができるようになり、コンパクトな機構とすることが可能となる。
【発明を実施するための最良の形態】
【００１１】
以下、本発明に係る実施形態について詳しく説明する。なお、以下に説明する実施形態は、本発明を実施するにあたって好ましい具体例であるから、技術的に種々の限定がなされているが、本発明は、以下の説明において特に本発明を限定する旨明記されていない限り、これらの形態に限定されるものではない。
【００１２】
図１は、本発明に係る実施形態を備えた画像形成装置全体の概略外観斜視図である。画像形成装置１の上部には原稿読取部２が配置され、その下部には、底面から給紙部３、記録部４が配されている。そして、原稿読取部２の手前側には操作表示パネル５が取り付けられている。操作表示パネル５には、メッセージ等を表示するための液晶表示パネル５０や各種操作キー５１が配列されている。
【００１３】
原稿読取部２では、原稿カバー１０設けられた原稿トレイ１１に載置された原稿が自動原稿搬送装置１２により図示しない読取手段に対向する位置に搬送されて原稿読取動作が行われ、原稿排紙トレイ１３に排出される。書籍等を読み取る場合には、原稿カバー１０を上方に回動してフラットベッドプラテンに書籍等の被読取部分を配置し読取手段により読取動作が行われる。以上の構成は、いわゆる自動原稿搬送装置（以下「ＡＤＦ」という。）及びフラットベッドタイプと称される従来の原稿読取装置と同様のものである。
【００１４】
給紙部３では、給紙カセットが配置されており、給紙カセット内に積載された用紙はピックアップローラの回転駆動により、用紙が１枚ずつ用紙搬送路に給紙されるようになる。
【００１５】
給紙された用紙は、搬送ローラにより記録部４に搬送される。記録部４では、搬送された用紙に記録するために、感光体ドラム、帯電器、露光ヘッド、現像器、転写ローラ及び定着ローラが備えられている。まず、感光体ドラムを帯電器により一様に帯電させ、帯電された感光体ドラムに露光ヘッドで画像記録信号に応じて露光することで静電潜像を形成する。次に、現像器により感光体ドラムに形成された静電潜像にトナーを転移させて可視像化し、転写ローラにより感光体ドラム表面に形成されたトナー像を用紙に転写する。そして、転写されたトナー像は、定着ローラによって加熱・プレスされ用紙に定着される。定着された用紙は、排紙ローラにより用紙排出トレイ１４に搬出されるようになる。こうした画像形成装置は、公知のものであり、両面記録を行うための反転搬送機構をさらに備えたものもある。
【００１６】
操作表示パネル５は、原稿読取部２の手前側に延設された支持部１５及び１６の間に回転可能に支持されており、図２に示すように、操作表示パネル５を回転し、その角度を変更することができるようになっている。
【００１７】
図３は、操作表示パネル５の角度調整機構に関する上面図である。また、図４及び図５は、図３の機構を側面から見た模式図を示している。操作表示パネル５を左右両側から支持する一対の支持部１５及び１６は、原稿読取部２の手前側に突出するように延設されており、支持部１５及び１６の間には操作表示パネル５が回転可能なように取り付けられている。操作表示パネル５の左右両側には、軸ピン１７ａおよび１７ｂが突設されており、各軸ピンがそれぞれ支持部１５及び１６の軸孔に挿入されて回転可能に軸支されている。
【００１８】
装置本体側には、角度調整板１８が操作表示パネル５の下方に延設されている。角度調整板１８は、所定幅の矩形状を有しており、全体の断面形状が略Ｌ字形に形成されている。そして、装置本体内に一端部を回転可能に軸支されており、その軸方向は操作表示パネル５の回転軸に沿った方向に設定されている。また、角度調整板１８は、略Ｌ字状に折り曲げられることで他端部が操作表示パネル５の下方に向かって延設され、その先端部で操作表示パネル５の底面に当接して支持するようになっている。
【００１９】
角度調整板１８の一端部は、回転軸１９によって回転可能に軸支されており、回転軸１９の一端部には歯車２０が固定されている。そして、駆動モータ２１の駆動歯車２１ａが歯車２０に噛み合っており、駆動モータ２１の回転駆動により角度調整板１８は回動し、上下動するようになっている。
【００２０】
操作表示パネル５の手前側には操作手段として円盤状の操作ダイヤル２２が内蔵されており、操作ダイヤル２２の一部が手前側に突出するように配設されて回転可能に軸支されている。また、操作ダイヤル２２の上面には周方向に角度を示す数字２４が表示されており、操作表示パネル５の外装フレームに穿設された表示開口部２３から視認可能となっている。
【００２１】
図４では、操作表示パネル５が上方に回動した状態を示している。操作表示パネル５の角度を調整したい場合には、操作ダイヤル２２の突出部分に指を当てて回転させると、その回転動作を検知センサ２５で検知し、その回転量に応じて検知信号を制御部１００に出力する。制御部１００は、検知センサ２５からの検知信号に基づいて駆動モータ２１を駆動制御し、操作ダイヤル２２の回転量に応じて駆動モータ２１が回転して角度調整板１８が上下動するようになる。操作表示パネル５は角度調整板１８によって支持されているので、角度調整板１８の上下動に従い操作表示パネル５の角度が変更されて調整されるようになる。図５では、図４の状態から操作表示パネル５の角度を下方に傾斜するように変更された状態を示しており、このように傾斜することで、利用者の視認する位置に合せて操作表示パネル５の角度を傾斜でき、液晶パネル等を最適の角度から見るように調整できる。
【００２２】
なお、操作ダイヤル２２の回転量を操作表示パネル５の液晶パネルに表示して液晶パネルを見ながら角度調整するようにしてもよい。
【００２３】
図６は、操作表示パネル５の角度調整機構の別の実施形態に関する上面図である。また、図７及び図８は、図６の機構を側面から見た模式図を示している。この例では、操作ダイヤル２２の回転動作により手動で操作表示パネル５の角度調整を行うようにしている。まず、角度調整板１８は、上述の実施形態と同様の形状をしており、回転軸１９に軸支されている。そして、回転軸１９を中心に回動することで角度調整板１８の他端部が操作表示パネル５の底面に当接保持して上下動し、操作表示パネル５の角度が調整される。
【００２４】
回転軸１９の一端部には、ワイヤ２５が巻き付けられる円柱状の巻付け部３０が固定されている。ワイヤ２５の一端は巻付け部３０の外周面に形成された係止突起に係止されている。また、角度調整板１８は、図示せぬ付勢手段（弾性バネ等）により反時計回りに回動するように付勢されており、付勢手段の付勢力により角度調整板１８は操作表示パネル５が傾斜する方向に付勢されるようになる。
【００２５】
操作ダイヤル２２は、操作表示パネル５内においてその中心部が取付軸２２ａに回動可能に軸支されている。そして、取付軸２２ａには、操作ダイヤル２２の下方に歯車３２及び巻取り部３１が固定されている。歯車３２には、駆動モータ３３の駆動歯車３３ａが噛み合っている。また、巻取り部３１は、ワイヤ２５の他端が係止されて巻き取るように円柱状に形成されている。したがって、駆動モータ３３が回転駆動すると、歯車３２とともに取付軸２２ａが回転して操作ダイヤル２２及び巻取り部３１が回動するようになる。
【００２６】
巻取り部３１が回動してワイヤ２５を巻き取ると、装置本体側の巻付け部３０からワイヤ２５が繰出されて巻付け部３０が時計回りに回転するようになる。そのため、回転軸１９が時計回りに回転するようになり、角度調整板１８が付勢手段の付勢力に抗して時計回りに回動し、操作表示パネル５の傾斜角度が変更されるようになる。
【００２７】
図７では、操作表示パネル５が上方に回動した状態を示しており、巻取り部３１にワイヤ２５が巻き取られた状態を示している。一方、図８は、巻取り部３１からワイヤ２５が繰出されるように巻取り部３１が回転し、角度調整板１８の付勢力により回転軸１９が回転して巻付け部３０がワイヤ２５を巻き付けた状態を示しおり、図８の状態では操作表示パネル５が下方に回動して傾斜角度が大きくなっている。
【００２８】
駆動モータ３３の駆動動作は、操作表示パネル５に別途設けられたスイッチを操作することで開始したり、液晶パネルで操作メニューを表示して角度調整を選択することで行うようにしてもよい。操作ダイヤル２２には、上述した実施形態と同様に上面に角度を示す数字が表示されており、駆動モータ３３を駆動開始して操作ダイヤル２２の角度表示が所望の角度になったときにスイッチを離して駆動停止するようにすればよい。
【００２９】
以上の例では、駆動モータ３３により回転するようにしているが、操作表示パネル５を上下動するための駆動力が小さくて済む場合には、操作ダイヤル２２を手動で回転するようにしてもよい。その場合には、駆動モータ３３が不要となり、操作ダイヤル２２の回転位置を保持するために、歯車３２に係合する係合爪を操作表示パネル５内に配設すればよい。さらに、歯車３２及び駆動歯車３３ａをベベルギアによって構成することにより、操作表示パネル５の角度調整を、駆動モータ３３と操作ダイヤル２２の両方で行うことも可能である。
【００３０】
以上説明したように、操作表示パネルに設けられた操作ダイヤルや操作スイッチ等を操作することで操作表示パネルの傾斜角度の調整を行うことができ、また調整される角度を操作ダイヤルや液晶表示パネルで表示するようにしているので、利用者が角度調整を行う場合に、容易に操作を行うことができるようになる。
【図面の簡単な説明】
【００３１】
【図１】本発明に係る実施形態備えた画像形成装置全体の概略外観斜視図である。
【図２】図１において操作表示パネルを回転させた場合の概略外観斜視図である。
【図３】操作表示パネルの角度調整機構に関する上面図である。
【図４】図３の機構を側面から見た模式図である。
【図５】図３の機構を側面から見た模式図である。
【図６】操作表示パネルの角度調整機構の別の実施形態に関する上面図である。
【図７】図６の機構を側面から見た模式図である。
【図８】図６の機構を側面から見た模式図である。
【符号の説明】
【００３２】
１    画像形成装置
２    原稿読取部
３    給紙部
４    記録部
５    操作表示パネル
15    支持部
16    支持部
18    角度調整板
19    回転軸
21    駆動モータ
22    操作ダイヤル
25    ワイヤ
30    巻付け部
31    巻取り部
32    歯車
33    駆動モータ
【図１】
2007163813.tif 000003
【図２】
2007163813.tif 000004
【図３】
2007163813.tif 000005
【図４】
2007163813.tif 000006
【図５】
2007163813.tif 000007
【図６】
2007163813.tif 000008
【図７】
2007163813.tif 000009
【図８】
2007163813.tif 000010